(57)【要約】【課題】  桟瓦、タイル、外壁材等の外側部材の取付作業に熟練を要することなく、その取付作業を容易に行えて、施工コストを安く出来ると共に、外側部材が破損して取り替える場合にその取替作業を簡単に行うことが出来る外側部材取付装置を提供する。【解決手段】  建物躯体の外側面Ｗに下地材７を介して外壁材等の外側部材１１を取り付けるための外側部材取付装置であって、建物躯体の外側面Ｗには、取付部片挿着用のスリット１０が長手方向に一定ピッチで設けられた下地材７としての横桟９を上下方向一定間隔おきに配設し、外側部材１１を固定する外側部材固定金具１の上下両端側にある取付部片３ｂ，４ｂを上下に隣合う横桟９の対応するスリット１０，１０に検鈍式に挿着して取り付ける。【選択図】図４
2005133303.tif 000002
【特許請求の範囲】
【請求項１】
建物躯体の外側面に下地材を介して外壁材等の外側部材を取り付けるための外側部材取付装置であって、
建物躯体の外側面には、取付部片挿着用のスリットが長手方向に一定ピッチで設けられた下地材としての横桟を上下方向一定間隔おきに配設し、外側部材を固定する外側部材固定金具の上下両端側にある取付部片を上下に隣合う横桟の対応するスリットに検鈍式に挿着して取り付けるようにしてなる外側部材取付装置。
【請求項２】
外側部材固定金具の上下何れか一方の取付部片に、取付部片挿着用スリットからの抜け出しを阻止するための抜け止めを設けてなる請求項１に記載の外側部材取付装置。
【請求項３】
外側部材はボルトによって外側部材固定金具に固定するようにしてなる請求項１又は２に記載の外側部材取付装置。
【請求項４】
外側部材固定金具は、外側部材を固定するための固定面部と、この固定面部を保持する上下一対の脚部とによって形成すると共に、両脚部を、夫々、脚部本体と、これの先端部から外側部材支持枠と略平行で上下相反する方向に延びる取付部片とによって形成し、外側部材固定面部に外側部材固定用ボルトを螺挿するネジ孔部を設けたものからなる請求項３に記載の外側部材取付装置。
【請求項５】
前記固定面部は、上下左右の枠部からなる矩形状の外側部材固定枠部と、この固定枠部に囲繞される開口部とからなる請求項４に記載の外側部材取付装置。
【請求項６】
前記固定面部の上部両端には、外側部材の裏面側上部に突設された両側一対の突起が係合する切欠部を設けてなる請求項４又は５に記載の外側部材取付装置。
【請求項７】
所定大きさの一枚の金属板材に略Ｈ字状の切込線を入れて、この切込線で囲まれる部分を引き起こすことにより、外側部材固定金具の固定面部と両側一対の脚部とを一体形成してなる請求項４〜６の何れかに記載の外側部材取付装置。
【請求項８】
外側部材固定金具の各脚部には補強用リブを形成してなる請求項１〜７の何れかに記載の外側部材取付装置。
【請求項９】
外側部材固定金具の固定面部は、外側部材の湾曲形状に対応する湾曲部を有する請求項４〜８の何れかに記載の外側部材取付装置。
【発明の詳細な説明】
【技術分野】
【０００１】
本発明は、建物躯体の外側面に、下地材を介して、桟瓦やタイル等の外壁材や仕上げ材あるいは屋根材等と云った外側部材を取り付けるための外側部材取付装置に関するものである。
【背景技術】
【０００２】
従来の技術について、特許公報等の公知文献を具体的に挙げることは出来ないが、建物躯体の外壁面に桟瓦を取り付けるのに、従来では、壁面タイル張りと同様に、躯体壁面にセメントモルタルを塗着して、そのセメントモルタルに桟瓦をはりつけて固定するようにしていた。
【発明の開示】
【発明が解決しようとする課題】
【０００３】
上記のような方法では、セメントモルタルの塗着作業及び桟瓦の貼り付け作業に相当な熟練を要することから、必然的に施工コストが高騰し、また桟瓦が破損して取り替える必要が生じた場合には、破損した桟瓦とその接着部分をはつらなければならないが、そのはつり作業が極めて困難で、非常な手間と時間を要する、と云った問題がある。
【０００４】
本発明は、上記のような問題に鑑み、桟瓦、タイル、外壁材等の外側部材の取付作業に熟練を要することなく、その取付作業を容易に行えて、施工コストを安く出来ると共に、外側部材が破損して取り替える必要が生じた場合にその取替作業を簡単に行うことが出来る外側部材取付装置を提供することを目的とする。
【課題を解決するための手段】
【０００５】
上記の課題を解決するための手段を、後述する実施の形態の参照符号を付して示すと、請求項１に係る発明は、建物躯体の外側面Ｗに下地材７を介して外壁材等の外側部材１１を取り付けるための外側部材取付装置であって、建物躯体の外側面Ｗには、取付部片挿着用のスリット１０が長手方向に一定ピッチで設けられた下地材７としての横桟９を上下方向一定間隔おきに配設し、外側部材１１を固定する外側部材固定金具１の上下両端側にある取付部片３ｂ，４ｂを上下に隣合う横桟９の対応するスリット１０，１０に検鈍式に挿着して取り付けるようにしてなることを特徴とする。
【０００６】
請求項２は、請求項１又は２に記載の外側部材取付装置において、外側部材固定金具１の上下何れか一方の取付部片３ｂ又は４ｂに、取付部片挿着用スリット１０からの抜け出しを阻止するための抜け止め２０を設けてなることを特徴とする。
【０００７】
請求項３は、請求項１又は２に記載の外側部材取付装置において、外側部材１１はボルト５によって外側部材固定金具１に固定するようにしてなることを特徴とする。
【０００８】
請求項４は、請求項３に記載の外側部材取付装置において、外側部材固定金具１は、外側部材１１を固定するための固定面部２と、この固定面部２を保持する上下一対の脚部３，４とによって形成すると共に、両脚部３，４を、夫々、脚部本体３ａ，４ａと、これの先端部から外側部材支持枠２と略平行で上下相反する方向に延びる取付部片３ｂ，４ｂとで形成し、前記固定面部２に外側部材固定用ボルト５を螺挿するネジ孔部６を設けたものからなることを特徴とする。
【０００９】
請求項５は、請求項４に記載の外側部材取付装置において、前記固定面部２は、上下左右の枠部２ａ，２ｂ，２ｃ，２ｃからなる矩形状の外側部材固定枠部Ｆと、この固定枠部Ｆに囲繞される開口部Ｏとからなることを特徴とする。
【００１０】
請求項６は、請求項４又は５に記載の外側部材取付装置において、前記固定面部２の上部両端には、外側部材１１の裏面側上部に突設された両側一対の突起１３，１３が係合する切欠部１４，１４を設けてなることを特徴とする。
【００１１】
請求項７は、請求項４〜６の何れかに記載の外側部材取付装置において、外側部材固定金具１を形成する所定形状の一枚の金属型板Ｍに略Ｈ字状の切込線１９を入れて、この切込線１９で囲まれる部分を引き起こすことにより、外側部材固定金具１の固定面部２と両側一対の脚部３，４とを一体形成してなることを特徴とする。
【００１２】
請求項８は、請求項１〜７の何れかに記載の外側部材取付装置において、外側部材固定金具１の脚部３，４には補強用リブ１７，１８を形成してなることを特徴とする。
【００１３】
請求項９は、請求項４〜８の何れかに記載の外側部材取付装置において、外側部材固定金具１の固定面部２は、外側部材１１の湾曲形状に対応する湾曲部を有することを特徴とする。
【発明の効果】
【００１４】
本発明の効果を、後述する実施の形態の参照符号を付して説明すると、請求項１に係る発明によれば、外側部材１１の取付作業に熟練を要することなく、普通の作業者が外側部材１１を簡単に取り付けることが出来、それにより施工コストの低廉化を図ることが出来る。また、外側部材１１が破損して取り替える必要が生じた場合には、破損した外側部材１１のみを簡単に取り替えることが出来る。
【００１５】
請求項２に係る発明によれば、外側部材固定金具１の上下何れか一方の取付部片３ｂ又は４ｂに抜け止め２０を設けているから、取付部片挿着用スリット１０から取付部片３ｂ，４ｂの抜け出しを阻止し、固定金具１の横桟９からの脱落を防止することが出来る。特に地震発生時や台風時の固定金具１の脱落飛散を有効に防止出来る。
【００１６】
請求項３に係る発明によれば、外側部材１１はボルト５によって瓦固定金具１に固定するようにしたから、外側部材１１をボルト５で外側部材固定金具１に簡単に固定できて、外側部材固定金具１への外側部材１１の取付けを容易に行うことが出来る。
【００１７】
請求項４に係る発明によれば、外側部材固定金具１が軽量構造で且つコンパクトな構造となって、現場での外側部材固定金具１の取り扱いが容易で作業がし易くなり、施工能率の向上を図ることが出来る。また、この固定金具１は台風や地震にも安定した外側部材固定力を有するから、外側部材１１が台風や地震で飛散したり、脱落することがない。また、この固定金具１を使用した外側部材取付装置によれば、固定金具１及びボルト５が外側部材１１に隠れてしまって外側から見えないので、取付施工される外側部材の外観が良好で、その意匠性が優れたものとなり、また固定用ボルト５の腐食を防止出来る。
【００１８】
請求項５に係る発明によれば、外側部材固定金具１の固定面部２が、上下左右の枠部２ａ，２ｂ，２ｃ，２ｃからなる矩形状の外側部材固定枠部Ｆと、この固定枠部Ｆに囲繞される開口部Ｏとからなるため、複数個の固定金具１を互いに重ね合わせる場合には、１個目の固定金具１の固定面部２の開口部Ｏに２個目の固定金具１の一方の脚部、例えば脚部３を上から差し込んで２個目の固定金具１の脚部３の後側に当接させ、この２個目の固定金具１の固定面部２の開口部Ｏに３個目の固定金具１の脚部３を上から差し込んで２個目の固定金具１の脚部３の後側に当接させ、以降同様にすることによって、複数個の固定金具１をコンパクトに効率よく重ね合わせることが出来る。従って、固定金具１を運搬したり保管する際に、固定金具１を複数個ずつコンパクトに効率よく重ね合わせることが出来、運搬効率及び保管効率が良くなる。
【００１９】
請求項６に係る発明によれば、固定面部２の上部両端に、外側部材１１の裏面側上部に突設された両側一対の突起１３，１３が係合する１４，１４を設けているから、外側部材１１を固定面部２に支持させる時に、外側部材１１の位置決めを容易に行えると共に、固定面部２上における外側部材１１の左右のガタツキを阻止して、外側部材１１を安定状態で確実に固定させることが出来る。
【００２０】
請求項７に係る発明によれば、所定形状の一枚の金属型板Ｍに略Ｈ字状の切込線１９を入れて、この切込線１９で囲まれる部分を引き起こすことにより、外側部材固定金具１の固定面部２と両側一対の脚部３，４とを一体形成する場合には、固定金具１を簡単容易に形成出来ると共に、金属板材料を最小限に抑えることが出来、それによって量産が可能で固定金具１のコストの大幅な低廉化を期することが出来、加えて品質及び精度の安定を確保出来る。
【００２１】
請求項８に係る発明によれば、外側部材固定金具１の各脚部３，４には長手方向に延びる補強用リブ１７，１８を形成することにより、脚部３，４が補強されて、十分な剛性が確保されるから、軽量であるにもかかわらず、十分な強度を有する頑丈な外側部材固定金具１となる。
【００２２】
請求項９に係る発明によれば、外側部材固定金具１の固定面部２が、外側部材１１の湾曲形状に対応する湾曲部を有するから、外側部材１１を固定面部２に安定状態で的確に支持固定させることが出来る。
【発明を実施するための最良の形態】
【００２３】
以下に、本発明の外側部材取付装置を建物躯体の外壁面に桟瓦（外側部材）１１を取り付けるための桟瓦取付装置として実施した実施形態について図面に基づいて説明すると、図１の(a) は本発明に係る桟瓦取付装置の一部を構成する瓦固定金具（外側部材固定金具）１を示す斜視図、(b) は瓦固定金具１を形成する金属板材に切込みをいれた状態を示す平面図である。図２の(a) は瓦固定金具１の平面図、(b) は右側面図、(c) は左側面図である。また、図３の(a) は瓦固定金具１の正面図、(b) は底面図である。図４は瓦固定金具１の使用による桟瓦取付装置の縦断面図であり、図５は桟瓦１１及び瓦固定金具１の取付要領を説明する説明斜視図である。
【００２４】
瓦固定金具（外側部材固定金具）１は、図１〜図３に示すように、桟瓦（外側部材）１１を固定するための固定面部２と、この固定面部２を保持する上下一対の脚部３，４とから構成され、固定面部２は、上下左右の枠部２ａ，２ｂ，２ｃ，２ｃによって形成される矩形状の外側部材固定枠部Ｆと、この固定枠部Ｆに囲繞される開口部Ｏとからなる。両脚部３，４は、図３の(a) に示すように瓦支持枠２に対して略ハの字状を成すように傾斜した脚部本体３ａ，４ａと、両脚部本体３ａ，４ａの夫々先端部から瓦支持枠２と略平行にして且つ上下相反する方向に延びる取付部片３ｂ，４ｂとからなるもので、取付部片３ｂの長さが取付部片４ｂよりも適当に長くなるように形成されている。また、瓦支持枠２の上枠部２ａには、瓦固定用ボルト（外側部材固定用ボルト）５を螺挿するネジ孔部６が設けられている（図４及び図５参照）。
【００２５】
また図４及び図５に示すように建物の外壁面Ｗには桟瓦取付用の下地材６が設置される。この下地材７は、外壁面Ｗに沿って左右横方向一定間隔おきに縦に配置される縦桟８と、これら縦桟８上に上下方向一定間隔おきに水平に配置される横桟９とからなる。縦桟８及び横桟９は夫々アングル材からなるもので、各縦桟８は、アンカーボルト２１で外壁面Ｗに固定されたアングルピース２２にボルト２３止めされ、各横桟９は、縦桟８にボルト２４止めされる。
【００２６】
各横桟９の水平部９ａには、図５から分かるように、瓦固定金具１の取付部片３ｂ，４ｂを挿着するための取付部片挿着用スリット１０が、横桟９の長手方向に一定ピッチで形成されており、而して瓦固定金具１の取付けにあたり、上下の取付部片３ｂ，４ｂを、上下に隣合う横桟９、９の対応するスリット１０，１０に検鈍式に挿着することによって、瓦固定金具１を下地材７に取り付けることが出来るようになっている。
【００２７】
このスリット１０は、横桟９の水平部９ａの内側部寄り（建物外壁面Ｗに近づく側寄り）と外側寄り（建物外壁面Ｗから離れる側寄り）とに２つずつ並んで開口形成されているが、これは、上下に隣合う横桟９、９に亘って瓦固定金具１を取り付ける際に、上側脚部３の取付部片３ｂを上側横桟９の内側スリット１０に挿着し、下側脚部４の取付部片４ｂを下側横桟９の外側スリット１０に挿着することによって、図４に示すように、各瓦固定金具１をその上端部側が下端部側よりも外壁面Ｗに接近した傾斜姿勢に取り付けるようにするためである。尚、スリット１０の隙間寸法は、取付部片３ｂ，４ｂの厚さより十分に大きく設定される。
【００２８】
上記瓦固定金具（外側部材固定金具）１の構造について更に詳細に説明すると、この瓦固定金具１の下側脚部４の取付部片４ｂには取付部片挿着用スリット１０からの抜け出しを阻止するための抜け止め２０が設けられている。この抜け止め２０は、２つの抜止部片２０ａ，２０ｂからなるもので、図１〜図４に示すように、抜止部片２０ａは、取付部片４ｂの所要部に２本の切り込みｋ，ｋを入れて、両切り込みｋ，ｋの中間部を山形に引き起こすことによって形成されたものであり、抜止部片２０ｂは、取付部片４ｂの先端部を図示のようなＬ字状に折曲して形成されたものである。この抜け止め２０の作用については、図４に示すように、取付部片３ｂ，４ｂを上下に隣合う横桟９の対応するスリット１０，１０に検鈍式に挿着すると、山形の抜止部片２０ａによって瓦固定金具１の下方への移動が制限され、抜止部片２０ｂによって上方への移動が制限され、それによりスリット１０，１０からの取付部片３ｂ，４ｂの抜け出しが阻止される。
【００２９】
この実施形態では、抜け止め２０を、２つの抜止部片２０ａ，２０ｂからなるものとしているが、このようなものに代えて、例えば取付部片３ｂをスリット１０の挿入した後、その挿入端部にブラインドリベットを打ち込むようにしたものでもよい。また、この実施形態では、抜け止め２０を下側脚部３の取付部片３ｂに設けているが、これと反対側の、上側脚部３の取付部片３ｂに設けてもよい。
【００３０】
固定面部２の外側部材固定枠部Ｆに設けられるネジ孔部６は、バーリング加工によって明けた孔の内周面に雌ネジを切ったもので、これによると、製作加工が容易である上に、ネジ孔の長さを長くに取れるためにボルト５を十分にねじ込んで確実に締め付けることが出来る。このようなバーリング加工によるネジ孔部に代え、上枠部２ａの所定部位に孔を明けて、その裏側にナットを固着するようにしてもよく、また上枠部２ａの所定部位に明けた孔の内周面に雌ネジを切っただけのものでもよい。そして、このネジ孔部６には、図５に示すように桟瓦１１の上端部中央に設けてあるボルト挿通孔１２より通した桟瓦固定用ボルト５がねじ込まれ、これによって桟瓦１１が固定面部２に固定される。
【００３１】
また、固定面部２は、桟瓦１１の湾曲形状に対応する湾曲状に形成されている。即ち、図１の(a) 及び図２の(b) ，(c) から分かるように、固定面部２の外側部材固定枠部Ｆを形成する上下枠部２ａ，２ｂの夫々中央部側は平面状に形成されているが、この平面状部分２ａｏ，２ｂｏの夫々両側部及び左右枠部２ｃ，２ｃは、桟瓦１１の湾曲形状に対応するように湾曲状に形成されている。このように固定面部２に、桟瓦１１の湾曲形状に対応する湾曲部を有せしめることによって、桟瓦１１を固定面部２に的確に支持固定させることが出来る。
【００３２】
また、固定面部２を構成する外側部材固定枠部Ｆの上部両端には、桟瓦１１の裏面側上部に突設されている両側一対の突起１３，１３が係合する切欠部１４，１４が設けられている。桟瓦１１の突起１３，１３は、桟瓦の製造において必ず形成される周知のものである。従って、このような桟瓦１１の突起１３，１３が係合する切欠部１４，１４を瓦支持枠２の上部両端に設けておくことにより、桟瓦１１を固定面部２に支持させる時に、桟瓦１１の位置決めを容易に行えると共に、固定面部２の外側部材固定枠部Ｆ上における桟瓦１１の左右のガタツキを阻止して桟瓦１１を安定良く確実に固定させることが出来る。
【００３３】
固定面部２を構成する外側部材固定枠部Ｆの上枠部２ａは、その上側縁部１５が若干上向きに湾曲形成されている。この湾曲部１５は、固定面部２上の桟瓦１１をボルト５で締め付け固定する時に、桟瓦１１の上端部側に対しバネ作用を働かせて圧接し、それにより桟瓦１１を固定面部２の外側部材固定枠部Ｆに安定良く且つ強固に支持固定させることが出来るようにするためのものである。
【００３４】
更に、脚部３，４には長手方向に延びる補強用リブ１７，１８が形成され、これにより脚部３，４が補強されて、十分な剛性が確保されるようになっている。
【００３５】
上記のように構成される瓦固定金具１を製作するのに、図１の(b) に示すように、ステンレス鋼板等の金属板によって瓦固定金具１の外形を形成するように所定形状に型取りした一枚の金属型板Ｍに、略Ｈ字状の切込線１９を入れて、この切込線１９で囲まれる部分を引き起こすことにより、瓦固定金具１の固定面部２と両側一対の脚部３，４を一体形成するようにすれば、瓦固定金具１を簡単容易に形成することが出来ると共に、金属板材料を最小限に抑えることが出来、それによってコストの低廉化を図ることが出来る。
【００３６】
図１の(b) において、図示は省略するが、金属型板Ｍには脚部３，４に補強用リブ１７，１８を形成し、また固定面部２側には上記したような湾曲部を形成する。また、脚部４の取付部片４ｂには切り込みｋ，ｋが入れてあって、両切り込みｋ，ｋの中間部を引き起こすことによって抜止部片２０ａを形成し、また取付部片４ｂの先端部を折曲して抜止部片２０ｂを形成する。
【００３７】
瓦固定金具１を製作するのに、上記のように一枚の金属板材で固定面部２と両側一対の脚部３，４とを一体に形成せず、固定面部２２と一方の脚部３と他方の脚部４とを夫々別の板材によって個別に型取りし、それらを溶接によって一体的に接合してもよい。
【００３８】
次に、上記のような瓦固定金具１の使用による桟瓦取付装置の施工につき説明すると、先ず、建物外壁面Ｗに、縦桟８と横桟９とからなる下地材７を設置しておき、そして各瓦固定金具１に桟瓦１１をボルト５で固定する。瓦固定金具１に桟瓦１１を固定する場合は、桟瓦１１裏面の上端部に突出している突起１３，１３に瓦支持枠２の上部両端の切欠部１４，１４が係合するように、桟瓦１１を瓦支持枠２上に載置して、桟瓦１１のボルト挿通孔１２から瓦支持枠２のネジ孔部６にボルト５をねじ込んで締め付け固定する。
【００３９】
この時、固定面部２における外側部材固定枠部Ｆの上枠部２ａに設けた湾曲部１５が、桟瓦１１の裏面側上端部に対しバネ作用を働かせて圧接するから、桟瓦１１は固定面部２の外側部材固定枠部Ｆに安定良く強固に支持固定される。また、桟瓦１１裏面の突起１３，１３が外側部材固定枠部Ｆの切欠部１４，１４に係合しているから、桟瓦１１の左右方向にガタつくようなことがなく、より安定状態で的確に固定される。
【００４０】
こうして固定面部２の外側部材固定枠部Ｆに桟瓦１１を支持固定させた瓦固定金具１の上下両端側にある取付部片３ｂ，４ｂを、最下段（１段目）の横桟９とその上段側（２段目）の横桟９との間で対向するスリット１０，１０に検鈍式に挿着して取り付ける。取付部片３ｂ，４ｂを横桟９，９の対応するスリット１０，１０に挿着するには、図５に示すように、長さの長い上端側の取付部片３ｂを先に上段側横桟９のスリット１０に当該取付部片３ｂの根元まで差し込むと、下端側の取付部片４ｂは下段側横桟９のスリット１０から若干浮き上がった位置にあるから、その状態で瓦固定金具１を下げながら、下端側の取付部片４ｂを下段側横桟９のスリット１０に挿入する。この下端側取付部片４ｂをスリット１０に挿入する際には、先端部に抜止部片２０ｂが形成されているから、取付部片４ｂ側を前後に適宜傾転させながら、その抜止部片２０ｂをスリット１０に強制的に押し込むようにすればよい。こうして下端側取付部片４ｂを下段側横桟９のスリット１０に挿入すれば、山形の抜止部片２０ａによって瓦固定金具１の下方への移動が制限され、抜止部片２０ｂによって上方への移動が制限されるから、取付部片３ｂ，４ｂが上下のスリット１０，１０から抜け出ることがない。
【００４１】
またこの場合、図４から分かるように、上端側取付部片３ｂを上段側横桟９の内側スリット１０に挿着し、下端側取付部片４ｂを下段側横桟９の外側スリット１０に挿着することによって、瓦固定金具１は、その上端部側が下端部側よりも外壁面Ｗに接近した傾斜姿勢に取り付けられる。
【００４２】
上記のようにして１段目の横桟９と２段目の横桟９とに瓦固定金具１を取り付けた後、同じく桟瓦１１を固定した瓦固定金具１を、２段目の横桟９と３段目の横桟９とに上記同様な要領で取り付ける。この際、図４に示すように、下段側桟瓦１１の上端部に上段側桟瓦１１の下端部が覆い被さるようになって、瓦固定用ボルト５の頭が隠蔽される。以降、桟瓦１１を固定した瓦固定金具１を、２段目の横桟９と３段目の横桟９、更に３段目の横桟９と４段目の横桟９、・・・と順次取り付けてゆくことによって、建物外壁面Ｗに桟瓦１１を上下方向に順次敷き並べ、図４に示すような状態とする。尚、この実施形態では、瓦固定金具１に桟瓦１１を取り付けてから、瓦固定金具１を下地材７に取り付けるようにしているが、瓦固定金具１を下地材７に取り付けた後、その瓦固定金具１に桟瓦１１を取り付けるようにしてもよい。
【００４３】
左右に隣合う桟瓦１１，１１の対向端部どうしは、図示しない凹凸係合によって互いに重なり合うことになる。即ち、図示は省略するが、桟瓦１１には左右何れか一端側に凹段部が形成され、他端側には凹段部に係合する凸段部が形成されているから、左右に隣合う桟瓦１１，１１の対向端部どうしをこれら凹段部と凸段部とで凹凸係合させるようにすればよい。こうして桟瓦１１を建物外壁面Ｗの全面に敷き詰めた状態に取り付けることが出来る。またこうして桟瓦１１を取り付けた状態では、瓦固定金具１及び瓦固定用ボルト５が桟瓦（１１に隠れてしまって外側から見えないので、その外観が良好で、意匠性が優れたものとなる。
【００４４】
また、上記のようにして建物外壁面Ｗに取り付けた桟瓦１１が破損して取り替える必要が生じた時には、破損した桟瓦１１を瓦固定金具１の固定面部２から取り外すと共に、ボルト５を固定面部２から取り外した後、脚部３，４の取付部片３ｂ，４ｂを上下に隣合う横桟９，９のスリット１０，１０から抜き取って、瓦固定金具１を取り外し、而してこの瓦固定金具１の固定面部２に新たな桟瓦１１を取り付けて、脚部３，４の取付部片３ｂ，４ｂを上下に隣合う横桟９，９のスリット１０，１０に検鈍式に挿着すればよい。この桟瓦取付装置によれば、破損した桟瓦１１を簡単に新しい桟瓦１１と取り替えることが出来る。
【００４５】
図６は上述した桟瓦取付装置に使用する瓦固定金具１を運搬したり保管する際に、複数個の瓦固定金具１を互いに重ね合わせた状態を示したものである。即ち、この瓦固定金具１は、固定面部２と上下一対の脚部３，４とで構成されるとると共に、固定面部２が、上下左右の枠部２ａ，２ｂ，２ｃ，２ｃからなる矩形状の外側部材固定枠部Ｆと、この固定枠部Ｆに囲繞される開口部Ｏとからなるため、複数個の瓦固定金具１を互いに重ね合わせる場合には、図６に示すように、１個目の瓦固定金具１（図６の右端に示す）における固定面部２の開口部Ｏ（図１参照）内に２個目の瓦固定金具１の一方の脚部３を上から差し込んで、当該２個目の瓦固定金具１の固定面部２を前記１個目の瓦固定金具１の固定面部２上に載置すると共に、２個目の瓦固定金具１の脚部３を１個目の瓦固定金具１の脚部３の後側に当接させ、そしてこの２個目の瓦固定金具１における固定面部２の開口部Ｏ内に３個目の瓦固定金具１の脚部３を上から差し込んで、当該３個目の瓦固定金具１の固定面部２を２個目の瓦固定金具１の固定面部２上に載置すると共に、３個目の瓦固定金具１の脚部３を２個目の瓦固定金具１の脚部３の後側に当接させ、以降同様な方法によって４個〜５個の瓦固定金具１をコンパクトに効率よく重ね合わせることができる。
【００４６】
以上説明したような桟瓦取付装置によれば、建物外壁面Ｗに、取付部片挿着用のスリット１０が長手方向に一定ピッチで設けられた下地材７としての横桟９を上下方向一定間隔おきに配設し、桟瓦１１を固定した瓦固定金具１の上下両端側にある取付部片３ｂ，４ｂを上下に隣合う横桟９の対応するスリット１０，１０に検鈍式に挿着して取り付けるようにするから、桟瓦１１の取付作業に熟練を要することなく、普通の作業者が桟瓦１１を簡単容易に取り付けることが出来、それによって施工コストの低廉化を図ることが出来る。また、桟瓦１１を取り付けられた状態では、瓦固定金具１及び瓦固定用ボルト５が桟瓦１１に隠れてしまって外側から見えないので、取付施工された桟瓦１１の外観が良くなり、その意匠性が優れたものとなる。また、桟瓦１１が破損して取り替える必要が生じた場合には、その破損した桟瓦１１を上述のように簡単に取り替えることが出来る。
【００４７】
また、この桟瓦取付装置では、桟瓦１１を固定面部２に載置した状態で桟瓦１１の上端部を１本のボルト５によって固定するようになっているから、瓦固定金具１への桟瓦１１の取付けを簡単に行うことが出来る。そしてまた、瓦固定金具１の上下何れか一方の取付部片３ｂ又は４ｂに抜け止め２０を設けているから、取付部片挿着用スリット１０から取付部片３ｂ，４ｂの抜け出しを阻止し、瓦固定金具１の横桟９からの脱落を防止することが出来る。
【００４８】
また、瓦固定金具１は、外側部材１１を固定するための固定面部２と、この固定面部２を保持する上下一対の脚部３，４とによって形成すると共に、両脚部３，４を、夫々、脚部本体３ａ，４ａと、これの先端部から外側部材支持枠２と略平行で上下相反する方向に延びる取付部片３ｂ，４ｂとで形成し、前記固定面部２に外側部材固定用ボルト５を螺挿するネジ孔部６を設けたものからなるものであって、軽量構造で且つコンパクトな構造であるから、現場での瓦固定金具１の取り扱いが容易で作業がし易くなり、施工能率の向上を図ることが出来る。また、この瓦固定金具１によれば、台風や地震にも安定した桟瓦固定力を有するから、桟瓦１１が台風や地震で飛散したり、脱落することがない。更に、この瓦固定金具１によれば、前記したように、瓦固定金具１を運搬したり保管する際に、瓦固定金具１を複数個ずつコンパクトに効率よく重ね合わせることができるから、運搬効率及び保管効率が良くなる。
【００４９】
瓦固定金具１を製作する金属板材としては、ステンレス板の他に、普通の鋼板にメッキや塗装を施したメッキ鋼板、塗装鋼板、あるいはメッキ下地に塗装したもの、あるいはまたアルミ鋼板、銅板等を使用することが出来る。
【００５０】
また、瓦固定金具１を製作するのに、瓦固定金具１を形成する所定形状の一枚の金属型板Ｍに略Ｈ字状の切込線１９を入れて、この切込線１９で囲まれる部分を引き起こすことにより、瓦固定金具１の固定面部２と両側一対の脚部３，４とを一体形成する場合には、瓦固定金具１を簡単容易に形成することが出来ると共に、金属板材料を最小限に抑えることが出来、それによって量産が可能で瓦固定金具１のコストの大幅な低廉化を期することが出来、加えて品質及び精度の安定を確保出来る。
【００５１】
以上説明した実施形態は、本発明の外側部材取付装置を、建物躯体の外壁面Ｗに桟瓦１１を取り付けるための桟瓦取付装置として実施した場合の実施形態であるが、本発明は、この桟瓦の他にタイルやレンガ等の外壁材を建物躯体の外壁面に取り付けたり、あるいは屋根材を建物躯体の屋根面（主として急勾配の屋根面）に取り付ける外側部材取付装置に適用出来るものである。
【図面の簡単な説明】
【００５２】
【図１】(a) は本発明に係る桟瓦取付装置の瓦固定金具を示す斜視図、(b) は瓦固定金具を形成する金属板材に切込線を入れた状態を示す平面図である。
【図２】(a) は瓦固定金具の平面図、(b) は右側面図、(c) は左側面図である。
【図３】(a) は瓦固定金具の正面図、(b) は底面図である。
【図４】瓦固定金具の使用による桟瓦取付装置の縦断面図である。
【図５】桟瓦及び瓦固定金具の取付要領を説明する説明斜視図である。
【図６】複数個の瓦固定金具を互いに重ね合わせた状態を示す側面図である。
【００５３】
Ｗ            建物の外壁面
１            瓦固定金具（外側部材固定金具）
２            固定面部
Ｆ            固定面部の固定枠部
Ｏ            固定面部の開口部
２ａ          上枠部
２ｂ          下枠部
２ｃ          左右枠部
３，４        脚部
３ｂ，４ｂ    取付部片
５            瓦固定用ボルト（外側部材瓦固定用ボルト）
６            桟瓦のネジ孔部
７            建物外壁の下地材
８            下地材の縦桟
９            下地材の横桟
１０          横桟のスリット
１１          桟瓦
１２          桟瓦のボルト挿通孔
１３          桟瓦の裏面にある突起
１４          瓦支持枠の切欠部
１６          補強リブ
１７          補強リブ
１８          補強リブ
１９          切込線
２０          抜け止め
【図１】
2005133303.tif 000003
【図２】
2005133303.tif 000004
【図３】
2005133303.tif 000005
【図４】
2005133303.tif 000006
【図５】
2005133303.tif 000007
【図６】
2005133303.tif 000008